【手続補正書】
【提出日】平成23年1月31日(2011.1.31)
【手続補正１】
【補正対象書類名】特許請求の範囲
【補正対象項目名】全文
【補正方法】変更
【補正の内容】
【特許請求の範囲】
【請求項１】
アプリケーションプログラムを動作させることにより生成される画像情報を、ネットワークを介して端末装置に送信して表示させるサーバ装置であって、
生成した画像情報を予め定められたサイズのメモリであるページ毎に分割して記憶する画像情報記憶手段と、
前記画像情報記憶手段に記憶された前記画像情報を、アプリケーションプログラムの動作に応じて更新する更新手段と、
前記画像情報記憶手段に記憶されている画像情報のうち、前記端末装置に送信され、該端末装置が有する表示画面に表示されている表示領域の画像情報が記憶されているページのなかから、前記更新手段により更新される画像情報を含むページを更新ページとして検出する更新ページ検出手段と、
前記更新ページの更新前の画像情報と更新後の画像情報とから、前記更新手段により更新された画像情報を検出する更新画像検出手段と、
前記更新画像検出手段で検出された画像情報から送信画像情報を生成する送信画像生成手段と、
前記送信画像情報を前記端末装置へ送信する送信手段と、
を備えるサーバ装置。
【請求項２】
前記画像情報記憶手段に記憶された前記画像情報のうち、前記表示領域の画像情報を記憶する各ページに対し第１制御情報を記憶し、前記表示領域以外の非表示領域を記憶する各ページ対し第２制御情報を記憶するテーブル記憶手段と、
前記テーブル記憶手段に前記第１制御情報が記憶されているページが前記更新手段で更新されるとき、ページ例外割込を発生する発生手段と、
をさらに含み、
前記更新ページ検出手段は、前記ページ例外割込の発生したページを前記更新ページとして検出することを特徴とする請求項１記載のサーバ装置。
【請求項３】
前記表示領域の範囲を変更する領域変更手段と、
前記更新ページ検出手段は、表示領域を変更した後の新たな表示領域の画像情報を記憶する各ページを前記更新ページとして検出することを特徴とする請求項２記載のサーバ装置。
【請求項４】
前記領域変更手段で前記表示領域から前記非表示領域に変更されたページに対し前記テーブル記憶手段に記憶されている前記第１制御情報を前記第２の制御情報に書き換え、前記非表示領域から前記表示領域に変更されたページに対し前記テーブル記憶手段に記憶されている前記第２の制御情報を前記第１の制御情報に書き換える第１の変更手段と、
をさらに含む請求項３記載のサーバ装置。
【請求項５】
前記テーブル記憶手段は、各ページに対し、前記更新手段による当該ページの更新の有無を示す判定情報をさらに記憶することを特徴とする請求項２記載のサーバ装置。
【請求項６】
前記表示領域の範囲を変更する領域変更手段と、
前記領域変更手段で前記表示領域から前記非表示領域に変更されたページに対し前記第テーブル記憶手段に記憶されている前記第１制御情報を前記第２の制御情報に書き換え、前記非表示領域から前記表示領域に変更されたページに対し前記テーブル記憶手段に記憶されている前記第２の制御情報を前記第１の制御情報に書き換える第１の変更手段と、
前記更新手段で更新される各ページの前記判定情報を更新有りに変更する第２の変更手段と、
をさらに含み、
前記更新ページ検出手段は、表示領域を変更した後の新たな表示領域を記憶するページ群のうち、前記判定情報が更新有りを示すページを前記更新ページとして検出することを特徴とする請求項５記載のサーバ装置。
【請求項７】
各ページに対し、前記更新手段による当該ページの更新の有無を示す判定情報を記憶するテーブル記憶手段と、
前記更新手段で更新される各ページの前記判定情報を更新有りに変更する第１の変更手段と、
をさらに含み、
前記更新ページ検出手段は、前記表示領域を記憶するページ群うち、前記判定情報が更新有りを示すページを前記更新ページとして検出することを特徴とする請求項１記載のサーバ装置。
【請求項８】
前記表示領域の範囲を変更する領域変更手段をさらに含み、
前記更新ページ検出手段は、表示領域を変更した後の新たな表示領域を記憶する各ページを前記更新ページとして検出することを特徴とする請求項７記載のサーバ装置。
【請求項９】
前記表示領域の範囲を変更する領域変更手段をさらに含み、
前記更新ページ検出手段は、表示領域を変更した後の新たな表示領域を記憶するページ群うち、前記判定情報が更新有りを示すページを前記更新ページとして検出することを特徴とする請求項７記載のサーバ装置。
【請求項１０】
前記更新ページの更新前の画像情報を記憶するバックアップ記憶手段をさらに含み、
前記更新画像検出手段は、前記更新ページの更新前の画像情報と更新後の画像情報との差分を前記更新された画像情報として検出することを特徴とする請求項１記載のサーバ装置。
【請求項１１】
前記更新ページの更新前の画像情報を記憶するバックアップ記憶手段をさらに含み、
前記更新画像検出手段は、
（ａ）前記バックアップ記憶手段に前記更新ページの更新前の画像情報が記憶されているとき、当該更新ページの更新前の画像情報と更新後の画像情報との差分を前記更新された画像情報として検出し、（ｂ）前記バックアップ記憶手段に前記更新ページの更新前の画像情報が記憶されていないとき、当該更新ページの更新後の画像情報を前記更新された画像情報として検出することを特徴とする請求項１記載のサーバ装置。
【請求項１２】
アプリケーションプログラムを動作させることにより生成される画像情報を予め定められたサイズのメモリであるページ毎に分割して記憶する画像情報記憶手段と、
前記画像情報記憶手段に記憶された前記画像情報を、前記アプリケーションプログラムの動作に応じて更新する更新手段と、
ページテーブル記憶手段と、
を備え、前記画像情報をネットワークを介して表示装置に送信して表示させるサーバ装置における更新画像検出方法であって、
前記画像情報記憶手段に記憶されている画像情報のうち、前記端末装置に送信され、該端末装置が有する表示画面に表示されている表示領域の画像情報が記憶されている各ページに対し前記ページテーブル記憶手段に第１制御情報を記憶し、前記表示領域以外の非表示領域の画像情報が記憶されている各ページ対し前記ページテーブル記憶手段に第２制御情報を記憶するステップと、
前記ページテーブル記憶手段に前記第１制御情報が記憶されているページが前記更新手段で更新されるとき、ページ例外割込を発生するステップと、
前記ページ例外割込の発生したページを更新ページとして検出する第１の更新ページ検出ステップと、
前記更新ページの更新前の画像情報と更新後の画像情報とから、前記更新手段により更新された画像情報を検出する更新画像検出ステップと、
を含む更新画像検出方法。
【請求項１３】
前記表示領域の範囲を変更する領域変更ステップと、
表示領域の範囲を変更した後の新たな表示領域を記憶する各ページを前記更新ページとして検出する第２の更新ページ検出ステップと、
をさらに含む請求項１３記載の更新画像検出方法。
【請求項１４】
前記領域変更ステップで前記表示領域から前記非表示領域に変更されたページに対し前記ページテーブル記憶手段に記憶されている前記第１制御情報を前記第２制御情報に書き換え、前記非表示領域から前記表示領域に変更されたページに対し前記ページテーブル記憶手段に記憶されている前記第２制御情報を前記第１制御情報に書き換える第１の変更ステップと、
をさらに含む請求項１３記載の更新画像検出方法。
【請求項１５】
各ページに対し、前記更新手段による当該ページの更新の有無を示す判定情報を前記ページテーブル記憶手段に記憶するステップをさらに含む請求項１２記載の更新画像検出方法。
【請求項１６】
前記表示領域の範囲を変更する領域変更ステップと、
前記領域変更ステップで前記表示領域から前記非表示領域に変更されたページに対し前記ページテーブル記憶手段に記憶されている前記第１制御情報を前記第２制御情報に書き換え、前記非表示領域から前記表示領域に変更されたページに対し前記ページテーブル記憶手段に記憶されている前記第２制御情報を前記第１制御情報に書き換える第１の変更ステップと、
前記更新手段で更新される各ページの前記判定情報を更新有りに変更する第２の変更ステップと、
表示領域を変更した後の新たな表示領域に属するページ群のうち、前記判定情報が更新有りを示すページを前記更新ページとして検出する第２の更新ページ検出ステップと、
を含む請求項１５記載の更新画像検出方法。
【請求項１７】
アプリケーションプログラムを動作させることにより生成される画像情報を予め定められたサイズのメモリであるページ毎に分割して記憶する画像情報記憶手段と、
前記画像情報記憶手段に記憶された前記画像情報を、前記アプリケーションプログラムの動作に応じて更新する更新手段と、
ページテーブル記憶手段と、
を備え、前記画像情報をネットワークを介して表示装置に送信して表示させるサーバ装置における更新画像検出方法であって、
各ページに対し、前記更新手段による当該ページの更新の有無を示す判定情報を前記ページテーブル記憶手段に記憶するステップと、
前記更新手段で更新される各ページの前記判定情報を更新有りに変更する第１の変更ステップと、
前記画像情報記憶手段に記憶されている画像情報のうち、前記端末装置に送信され、該端末装置が有する表示画面に表示されている表示領域の画像情報が記憶されているページ群のなかから、前記判定情報が更新有りを示すページを更新ページとして検出する第１の更新ページ検出ステップと、
前記更新ページの更新前の画像情報と更新後の画像情報とから、前記更新手段により更新された画像情報を検出する更新画像検出ステップと、
を含む更新画像検出方法。
【請求項１８】
前記表示領域の範囲を変更する領域変更ステップと、
表示領域を変更した後の新たな表示領域を記憶する各ページを前記更新ページとして検出する第２の更新ページ検出ステップと、
をさらに含む請求項１７記載の更新画像検出方法。
【請求項１９】
前記表示領域の範囲を変更する領域変更ステップと、
表示領域を変更した後の新たな表示領域を記憶するページ群うち、前記判定情報が更新有りを示すページを前記更新ページとして検出する第２の更新ページ検出ステップと、
をさらに含む請求項１７記載の更新画像検出方法。
【請求項２０】
前記更新画像検出ステップは、
前記更新ページの更新前の画像情報をバックアップ記憶手段に記憶するステップと、
前記更新ページの更新前の画像情報と更新後の画像情報との差分を前記更新された画像情報として検出するステップと、
を含む請求項１２または１７記載の更新画像検出方法。
【請求項２１】
前記更新画像検出ステップは、
前記更新ページの更新前の画像情報をバックアップ記憶手段に記憶するステップと、
（ａ）前記バックアップ記憶手段に前記更新ページの更新前の画像情報が記憶されているとき、当該更新ページの更新前の画像情報と更新後の画像情報との差分を前記更新された画像情報として検出し、（ｂ）前記バックアップ記憶手段に前記更新ページの更新前の画像情報が記憶されていないとき、当該更新ページの更新後の画像情報を前記更新された画像情報として検出するステップと、
を含む請求項１２または１７記載の更新画像検出方法。
【請求項２２】
更新検出を行って表示側に送る
アプリケーションプログラムを動作させることにより生成される画像情報を予め定められたサイズのメモリであるページ毎に分割して記憶する画像情報記憶手段と、
前記画像情報記憶手段に記憶された前記画像情報を、前記アプリケーションプログラムの動作に応じて更新する更新手段と、
ページテーブル記憶手段と、
を備え、
前記画像情報をネットワークを介して表示装置に送信して表示させるサーバ装置における更新画像検出方法であって、
前記更新手段が、前記画像情報記憶手段に記憶された前記画像情報を、前記アプリケーションプログラムの動作に応じて更新する更新ステップと、
前記画像情報記憶手段に記憶されている画像情報のうち、前記端末装置に送信され、該端末装置が有する表示画面に表示されている表示領域の画像情報が記憶されているページのなかから、前記更新ステップで更新される画像情報を含むページを更新ページとして検出する更新ページ検出ステップと、
前記更新ページの更新前の画像情報と更新後の画像情報とから、前記更新ステップで更新された画像情報を検出する更新画像検出ステップと、
を含む更新画像検出方法。
【請求項２３】
コンピュータを、
アプリケーションプログラムを動作させることにより生成される画像情報を、ネットワークを介して端末装置に送信して表示されるサーバ装置として機能させるためのプログラムであって、
生成した画像情報を予め定められたサイズのメモリであるページ毎に分割して記憶する画像情報記憶手段、
前記画像情報記憶手段に記憶された前記画像情報を、アプリケーションプログラムの動作に応じて更新する更新手段、
前記画像情報記憶手段に記憶されている画像情報のうち、前記端末装置に送信され、該端末装置が有する表示画面に表示されている表示領域の画像情報が記憶されているページのなかから、前記更新手段により更新される画像情報を含むページを更新ページとして検出する更新ページ検出手段、
前記更新ページの更新前の画像情報と更新後の画像情報とから、前記更新手段により更新された画像情報を検出する更新画像検出手段、
前記更新画像検出手段で検出された画像情報から送信画像情報を生成する送信画像生成手段、
前記送信画像情報を前記端末装置へ送信する送信手段、
として機能させるプログラム。
【手続補正２】
【補正対象書類名】明細書
【補正対象項目名】発明の名称
【補正方法】変更
【補正の内容】
【発明の名称】サーバ装置、更新画像検出方法およびプログラム
【手続補正３】
【補正対象書類名】明細書
【補正対象項目名】００１０
【補正方法】変更
【補正の内容】
【００１０】
アプリケーションプログラムを動作させることにより生成される画像情報を、ネットワークを介して端末装置に送信して表示させるサーバ装置は、
生成した画像情報を予め定められたサイズのメモリであるページ毎に分割して記憶する画像情報記憶手段と、
前記画像情報記憶手段に記憶された前記画像情報を、アプリケーションプログラムの動作に応じて更新する更新手段と、
前記画像情報記憶手段に記憶されている画像情報のうち、前記端末装置に送信され、該端末装置が有する表示画面に表示されている表示領域の画像情報が記憶されているページのなかから、前記更新手段により更新される画像情報を含むページを更新ページとして検出する更新ページ検出手段と、
前記更新ページの更新前の画像情報と更新後の画像情報とから、前記更新手段により更新された画像情報を検出する更新画像検出手段と、
前記更新画像検出手段で検出された画像情報から送信画像情報を生成する送信画像生成手段と、
前記送信画像情報を前記端末装置へ送信する送信手段と、
を含む。